(57)【要約】【課題】  埃の多い劣悪な環境下に据え付けられても、埃の装置本体内への侵入を確実に抑えつつ、加熱した機器を冷却するための空気の取り入れられるようにする。【解決手段】  筐体１０′に存在する隙間の全て（本実施形態においては、前面開閉扉６１の隙間、手差しトレー６２の隙間および機外排紙トレイ６３の隙間）がシール部材６４によってシールされているとともに、外気を筐体１０′内に取り入れるための吸気口７１および排気口７３にはフィルタ７４５が設けられている。【選択図】      図３
2006184537.tif 000002
【特許請求の範囲】
【請求項１】
用紙を貯留する用紙貯留部と、画像情報に基づき画像を形成することにより得られたトナー像を前記用紙貯留部から搬送されてきた用紙に転写する画像形成部と、用紙に転写されたトナー像に定着処理を施す定着部と、前記画像形成部および定着部へ外部から取入れた冷却用の空気を供給する冷却構造とが所定の筐体に内装されてなる画像形成装置において、
前記冷却構造は、前記筐体における画像形成部および定着部と対向した壁面に設けられたフィルタを有する吸気口と、この吸気口から前記フィルタを介して筐体内に冷却用の空気を取り入れるべく駆動する排気ファンと、この排気ファンの駆動で取り入れられた空気を排気する排気口と、
実質的に前記吸気口のみから吸気されるように筐体に存在する隙間をシールするシール部材とを備えてなることを特徴とする画像形成装置。
【請求項２】
前記吸気口には、アクチュエータの駆動で開閉するシャッタが設けられ、
前記画像形成部および定着部の状態に応じて前記シャッタの開閉および排気ファンの駆動・停止を制御する制御部が設けられていることを特徴とする請求項１記載の画像形成装置。
【請求項３】
前記吸気口は、前記画像形成部と対向し第１アクチュエータの駆動で第１シャッタが開閉される第１吸気口と、前記定着部と対向し第２アクチュエータの駆動で第２シャッタが開閉される第２吸気口とが備えられ、
前記排気ファンは、前記第１吸気口に対応した第１排気ファンと、前記第２吸気口に対応した第２排気ファンとが備えられ、
前記定着部の温度を検出する第１温度センサと、前記画像形成部の周辺の温度を検出する第２温度センサとが設けられ、
前記制御部は、前記第１温度センサが検出した温度が予め設定された第１上限温度を越えているか否かを判別するとともに、前記第２温度センサが検出した温度が予め設定された第２上限温度を越えているか否かを判別する温度判別部と、
前記温度判別部の判別結果に基づき第１および第２シャッタを開閉させるべく第１および第２アクチュエータへ制御信号を出力するとともに、第１および第２排気ファンへ駆動・停止の制御信号を出力する制御信号出力部とを有し、
前記制御信号出力部は、定着部周辺の温度が第１上限温度を越えたときのみ第２アクチュエータに向けて第２シャッタを開放させる制御信号を出力するとともに、第２排気ファンに向けて駆動信号を出力し、画像形成部周辺の温度が第２上限温度を越えたときのみ第１アクチュエータに向けて第１シャッタを開放させる制御信号を出力するとともに、第１排気ファンに向けて駆動信号を出力することを特徴とする請求項２記載の画像形成装置。
【請求項４】
前記吸気口近傍に埃の多寡を検出する埃センサが設けられ、前記制御部は、前記埃センサが予め設定された上限埃量を越える埃を検出したとき、前記用紙貯留部に向けて用紙の搬送ピッチを遅くする制御信号を出力することを特徴とする請求項２または３記載の画像形成装置。
【発明の詳細な説明】
【技術分野】
【０００１】
本発明は、複写機やファクシミリ装置、さらにはプリンタ等の画像形成装置に関するものであり、特に冷却用の外気を取入れつつ装置本体内への埃の侵入を防止し得るように改良された画像形成装置に関するものである。
【背景技術】
【０００２】
複写機やファクシミリ装置等の画像形成装置は、原稿読取装置によって読み取られた原稿画像情報に基づく露光装置からのレーザー光を、帯電装置により一様に帯電された、軸心回りに回転している感光体ドラムの周面に照射し、これによって形成された静電潜像に現像装置からトナーを供給してトナー像を形成させ、このトナー像を給紙カセットから給紙された用紙に転写した後、当該用紙に定着装置で加熱による定着処理を施すようになされている。定着処理後の用紙は、外部に排出される。用紙への転写処理が完了した感光体ドラムの周面に残留するトナーは、クリーニング装置によって除去される。
【０００３】
かかる画像形成装置においては、各所に発熱部位（例えば帯電装置や定着装置等）が存在し、これら発熱部位の発熱で装置本体内が所定の温度以上に加熱されるとファンが駆動して発熱部位に向けて気流が供給され、この気流で発熱部位に冷却処理が施されるようになされているのが一般的である。
【発明の開示】
【発明が解決しようとする課題】
【０００４】
ところで、上記のような従来の画像形成装置においては、発熱部位の冷却に供された気流は、装置本体の壁面に設けられた排気口を介して外部に排出されるのに対し、装置本体内に導入される空気は、装置本体の外装カバーの継ぎ目部分や各所に形成された開閉扉などの隙間部分から吸い込まれるのが一般的であった。
【０００５】
従って、画像形成装置を、埃の多い劣悪な環境下に据え付けると、前記隙間部分から微細な埃が内部に入り込み、帯電器に付着することにより感光体ドラムの周面に一様な電荷が形成されなくなって静電潜像が異常になったり、現像装置内に埃が入り込むことによってトナーの供給が正常に行なわれなくなってトナー像に異常を来したり、内装されているプリント基板が埃の付着で短絡して正常に機能しなくなったり、内部に設けられているコネクタに埃が侵入して電気的な接続不良が生じたり、さらには埃が用紙を搬送する搬送ローラに付着して搬送不良が生じたりする等の不都合が起る。
【０００６】
本発明は、このような不都合の発生を防止するためになされたものであり、埃の多い劣悪な環境下に据え付けられても、埃の装置本体内への侵入を確実に抑えつつ、加熱した機器を冷却するための外気の取り入れが可能な画像形成装置を提供することを目的としている。
【課題を解決するための手段】
【０００７】
請求項１記載の発明は、用紙を貯留する用紙貯留部と、画像情報に基づき画像を形成することにより得られたトナー像を前記用紙貯留部から搬送されてきた用紙に転写する画像形成部と、用紙に転写されたトナー像に定着処理を施す定着部と、前記画像形成部および定着部へ外部から取入れた冷却用の空気を供給する冷却構造とが所定の筐体に内装されてなる画像形成装置において、前記冷却構造は、前記筐体における画像形成部および定着部と対向した壁面に設けられたフィルタを有する吸気口と、この吸気口から前記フィルタを介して筐体内に冷却用の空気を取り入れるべく駆動する排気ファンと、この排気ファンの駆動で取り入れられた空気を排気する排気口と、実質的に前記吸気口のみから吸気されるように筐体に存在する隙間をシールするシール部材とを備えてなることを特徴とするものである。
【０００８】
この発明において、隙間とは、筐体の所定の開口に付設された開閉可能な扉や引出し等を閉じた状態で当該扉や引出しの外縁部と開口の内縁部との間に形成される通気可能な部分のことである。
【０００９】
この発明の構成によれば、排気ファンを駆動することにより、外部からの空気が吸引口からフィルタを介し埃が取り除かれた状態で筐体内に吸引され、画像形成部および定着部との熱交換によってこれらに冷却処理を施した後、排気口から外部に排気される。
【００１０】
そして、筐体に存在する全ての隙間がシールされているため、フィルタにより埃が除去された状態の冷却用空気の吸気口を介した吸引を確保しつつ埃が隙間から筐体内に侵入するのを確実に防止することができ、これによって埃が帯電器に付着することによって生じる形成画像の異常、埃が現像装置内に入り込むことによって生じる形成画像の異常、埃が内装されているプリント基板に付着することによる電気的な短絡、埃が内装されているコネクタに侵入して生じる電気的な接続不良、あるいは埃が用紙を搬送する搬送ローラに付着して生じる搬送不良等の不具合の発生が防止される。
【００１１】
請求項２記載の発明は、請求項１記載の発明において、前記吸気口には、アクチュエータの駆動で開閉するシャッタが設けられ、前記画像形成部および定着部の状態に応じて前記シャッタの開閉および排気ファンの駆動・停止を制御する制御部が設けられていることを特徴とするものである。
【００１２】
かかる構成によれば、制御部は、画像形成部および定着部の状態に応じてシャッタの開閉および排気ファンの駆動・停止を制御するため、画像形成部および定着部のいずれか一方または双方が駆動していてそれらの周辺の温度が上昇したときのみシャッタを開放して排気ファンを駆動させるような、空気の筐体内への導入を必要最小限に抑える制御を行なうことが可能になり、気流に同伴して侵入する埃による筐体内の汚染が減少する。
【００１３】
請求項３記載の発明は、請求項２記載の発明において、前記吸気口は、前記画像形成部と対向し第１アクチュエータの駆動で第１シャッタが開閉される第１吸気口と、前記定着部と対向し第２アクチュエータの駆動で第２シャッタが開閉される第２吸気口とが備えられ、前記排気ファンは、前記第１吸気口に対応した第１排気ファンと、前記第２吸気口に対応した第２排気ファンとが備えられ、前記定着部の温度を検出する第１温度センサと、前記画像形成部の周辺の温度を検出する第２温度センサとが設けられ、前記制御部は、前記第１温度センサが検出した温度が予め設定された第１上限温度を越えているか否かを判別するとともに、前記第２温度センサが検出した温度が予め設定された第２上限温度を越えているか否かを判別する温度判別部と、前記温度判別部の判別結果に基づき第１および第２シャッタを開閉させるべく第１および第２アクチュエータへ制御信号を出力するとともに、第１および第２排気ファンへ駆動・停止の制御信号を出力する制御信号出力部とを有し、前記制御信号出力部は、定着部周辺の温度が第１上限温度を越えたときのみ第２アクチュエータに向けて第２シャッタを開放させる制御信号を出力するとともに、第２排気ファンに向けて駆動信号を出力し、画像形成部周辺の温度が第２上限温度を越えたときのみ第１アクチュエータに向けて第１シャッタを開放させる制御信号を出力するとともに、第１排気ファンに向けて駆動信号を出力することを特徴とするものである。
【００１４】
かかる構成によれば、吸気口として画像形成部用の第１吸気口と、定着部用の第２吸気口とが設けられているため、各部の状況に応じて専用の吸気口から冷却用の空気を取り入れることができ、これによって吸気口が１個所である場合に比較し、より精度の高い制御が実現する。
【００１５】
そして、第１温度センサが検出した定着部周辺の温度が予め設定された第１上限温度を越えていると温度判別部が判別したとき、この判別結果に基づき制御信号出力部は、第２アクチュエータに向けて第２シャッタを開放させる制御信号を出力するとともに、第２排気ファンに向けて駆動信号を出力するため、第２排気ファンの駆動で外気が第２吸引口から筐体内に吸引され、定着部に対して気流による冷却処理が施される。
【００１６】
また、第２温度センサが検出した画像形成部周辺の温度が予め設定された第２上限温度を越えていると温度判別部が判別したとき、この判別結果に基づき制御信号出力部は、第１アクチュエータに向けて第１シャッタを開放させる制御信号を出力するとともに、第１排気ファンに向けて駆動信号を出力するため、第１排気ファンの駆動で外気が第１吸引口から筐体内に吸引され、画像形成部に対して気流による冷却処理が施される。
【００１７】
このように、制御部が第１および第２温度センサの検出結果に基づき第１および第２シャッタの開閉および第１および第２排気ファンの駆動を制御することにより、画像形成部および定着部の適正な温度管理が実現する。
【００１８】
請求項４記載の発明は、請求項１または２記載の発明において、前記吸気口近傍に埃の多寡を検出する埃センサが設けられ、前記制御部は、前記埃センサが予め設定された上限埃量を越える埃を検出したとき、前記用紙貯留部に向けて用紙の搬送ピッチを遅くする制御信号を出力することを特徴とするものである。
【００１９】
かかる構成によれば、筐体内における埃の浮遊量が予め設定された上限埃量を越えた場合、そのことが吸気口近傍に設けられた埃センサによって検出され、この検出結果に基づいて用紙貯留部に対し用紙の搬送ピッチを遅くする制御信号を出力し、これによって単位時間当たりの用紙への転写枚数が少なくなって発熱機器の稼働率が低下させられるため、冷却処理に要する空気量を抑えることが可能になる。かかる吸引空気量の抑制で埃の筐体内への侵入が抑えられる。
【発明の効果】
【００２０】
請求項１記載の発明によれば、筐体は、排紙口および外気を取入れる吸気口を除いて存在する全ての隙間がシールされているため、フィルタにより埃が除去された状態の冷却用空気の吸引を確保しつつ埃が隙間から筐体内に侵入することを防止することができ、これによって埃が帯電器に付着することによって生じる形成画像の異常、埃が現像装置内に入り込むことによって生じる形成画像の異常、埃が内装されているプリント基板に付着することによる電気的な短絡、埃が内装されているコネクタに侵入して生じる電気的な接続不良、あるいは埃が用紙を搬送する搬送ローラに付着して生じる搬送不良等の不具合の発生を確実に防止することができる。
【００２１】
請求項２記載の発明によれば、制御部は、画像形成部および定着部の状態に応じてシャッタの開閉および排気ファンの駆動・停止を制御するため、画像形成部および定着部のいずれか一方または双方が駆動していてそれらの周辺の温度が上昇したときのみシャッタを開放して排気ファンを駆動させるような、空気の筐体内への導入を必要最小限に抑える制御を行なうことが可能になり、気流に同伴して侵入する埃による筐体内の汚染をなくすことができる。
【００２２】
請求項３記載の発明によれば、吸気口として画像形成部用の第１吸気口と、定着部用の第２吸気口とが設けられているため、各部の状況に応じて専用の吸気口から冷却用の空気を取り入れることができ、これによって吸気口が１個所である場合に比較し、より精度の高い冷却制御を実現することができる。
【００２３】
請求項４記載の発明によれば、筐体内における埃の浮遊量が予め設定された上限埃量を越えた場合、そのことが吸気口近傍に設けられた埃センサによって検出され、この検出結果に基づいて用紙貯留部に対し用紙の搬送ピッチを遅くする制御信号を出力し、これによって単位時間当たりの用紙への転写枚数が少なくなって発熱機器の稼働率が低下させられるため、冷却処理に要する空気量を抑えることが可能になり、結果として発熱機器を確実に冷却しなくても済むような吸引空気量にして埃の筐体内への侵入を少なくすることで転写不良にならないようにすることができる。
【発明を実施するための最良の形態】
【００２４】
図１は、本発明に係る複写機の一実施形態を示す斜視図である。また、図２および図３は、その内部構造を説明するための説明図であり、図２は、正面断面視の説明図、図３は、右側面断面視の説明図である。なお、図１〜図３において、Ｘ−Ｘ方向を幅方向、Ｙ−Ｙ方向を前後方向といい、特に−Ｘ方向を左方、＋Ｘ方向を右方、−Ｙ方向を前方、＋Ｙ方向を後方という。
【００２５】
まず、図１に示すように、本発明に係る複写機１０は、いわゆる胴内排紙型といわれるものであり、筐体１０′に画像形成用の各種の機器が装着されることによって構成されている。前記筐体１０′は、画像形成部２０と定着部３０（図２）と用紙貯留部４０とが内装された直方体状を呈する筐体本体１１と、この筐体本体１１の上方で当該筐体本体１１に対向配置された、スキャナ部５０が装着されるスキャナ部筐体１２と、前方位置でこのスキャナ部筐体１２および前記筐体本体１１間に介設された連絡筐体１３とを備えて構成されている。筐体本体１１の上面とスキャナ部筐体１２の下面との間に画像形成部２０からの用紙Ｐを一時的に貯留する胴内排紙空間１９が形成されている。
【００２６】
前記画像形成部２０には、図２に示すように、用紙貯留部４０からの用紙Ｐを下方から上方に向けて搬送するための画像形成部搬送路２１が設けられているとともに、この画像形成部搬送路２１の前後方向の中央位置上部に軸心が幅方向に延びるように感光体ドラム２２が配設されている。そして、この感光体ドラム２２の周面に対向し、かつ、回転方向（時計方向に回転する）に沿うように上方から下方に向けてクリーニング装置２３と、帯電器２４と、現像装置２５とが配設されているとともに、現像装置２５の近傍に露光装置２６が配設され、この露光装置２６からのレーザー光が帯電器２４と現像装置２５との間から感光体ドラム２２の周面に照射されるようになっている。
【００２７】
そして、感光体ドラム２２が軸心回りに回転することによって当該感光体ドラム２２の周面がクリーニング装置２３によってまず清浄化され、引き続き同周面が帯電器２４によって一様に帯電され、この帯電された同周面に露光装置２６からのレーザー光の照射で静電潜像が形成され、引き続きこの静電潜像に現像装置２５からのトナーが供給されることによって同周面にトナー像が形成され、このトナー像の形成に同期して用紙貯留部４０から画像形成部搬送路２１に供給された用紙Ｐに当該トナー像が転写されるようになっている。
【００２８】
前記定着部３０は、画像形成部２０で転写処理が施された用紙に対して定着処理を施すものであり、連絡筐体１３内に設けられている。かかる定着部３０は、画像形成部搬送路２１の上端に接続されて上方へ延びる定着部搬送路３１を挟んで右側に設けられた定着ローラ３２と、左側に設けられた加圧ローラ３３とを備えている。定着ローラ３２は、内部に通電発熱体を有して加熱可能とされ、トナー像の転写された用紙Ｐが定着ローラ３２と加圧ローラ３３との間を通過する際に施される熱処理によってトナー像が用紙Ｐに定着されるようになっている。
【００２９】
前記用紙貯留部４０は、後側部で上下方向に延びた用紙貯留部搬送路４１の右側に用紙Ｐを貯留する用紙カセット４２が上下２段で着脱自在に装着されることによって形成されている。各用紙カセット４２には、図略の付勢手段によって上方に向けて付勢されたリフト板４３と、このリフト板４３によって上方に付勢された用紙Ｐの先端縁部に当接して最上位の用紙Ｐを順次送り出す給送ローラ４４とが設けられ、かかる給送ローラ４４の駆動でリフト板４３上に載置された用紙Ｐの束から１枚ずつの用紙Ｐが用紙貯留部搬送路４１へ向けて給送されるようになっている。
【００３０】
そして、給送ローラ４４によって用紙貯留部搬送路４１へ給送された用紙Ｐは、当該用紙貯留部搬送路４１に設けられた給送ローラ４４と対向配置された送出しローラ対４５によって用紙貯留部搬送路４１へ引き出され、当該用紙貯留部搬送路４１に沿って上昇して前記画像形成部搬送路２１へ向かうことになる。
【００３１】
前記スキャナ部５０は、スキャナ部筐体１２に内装された原稿画像を読み取る光学系５１と、スキャナ部筐体１２の上部に開閉可能に連結された原稿押え５９とを備えて構成されている。前記光学系５１は、スキャナ部筐体１２の上面に配設されたコンタクトガラス５２に原稿面を下に向けて載置された原稿の画像を読み取るものである。
【００３２】
かかる光学系５１は、原稿面に向けて光を照射する第１ミラー台５３と、この第１ミラー台５３から照射された光の反射光をさらに反射させて後方へ向かわせる第２ミラー台５４と、この第２ミラー台５４からの光を収束させるレンズユニット５５と、このレンズユニット５５からの光を受光して電気信号に変換するＣＣＤ（ｃｈａｒｇｅ  ｃｏｕｐｌｅｄ  ｄｅｖｉｃｅ）５６とを備えて構成されている。
【００３３】
前記第１ミラー台５３は、コンタクトガラス５２の下面に沿って前後方向に移動可能に構成され、左端のホームポジションから右方に向かって移動しながら図略の光源からの光をコンタクトガラス５２を介して原稿面に照射し、その反射光を前後方向に延びる水平線に対して４５°に傾斜した第１ミラー５３１で前方に向けて反射させるようになっている。
【００３４】
前記第２ミラー台５４は、第１ミラー５３１からの反射光をさらに反射して下方に向かわせる第２ミラー５４１と、この第２ミラー５４１からの光をレンズユニット５５に向かわせるように反射させる第３ミラー５４２とを有している。かかる第２ミラー台５４は、第１ミラー台５３の前後動に同期して１／２の速度で前後動するように構成され、これによって第１ミラー台５３および第２ミラー台５４のホームポジションＨからの移動距離に拘らず第１ミラー５３１、第２ミラー５４１および第３ミラー５４２を介してレンズユニット５５に到る反射光の光路長が常に一定になるようになされている。
【００３５】
そして、ＣＣＤ５６で電気信号に変換された原稿の画像情報は、一旦図略の記憶装置に記憶された後、用紙貯留部４０から送り込まれる用紙Ｐと同期して露光装置２６へ向けて出力され、この画像情報に基づく露光装置２６からの光線照射によって感光体ドラム２２の周面に静電潜像が形成される。この静電潜像に現像装置２５からのトナーが供給されることによって感光体ドラム２２の周面にトナー像が形成され、このトナー像が用紙Ｐに転写されることになる。
【００３６】
前記定着部搬送路３１の下流端（上端）には、定着部３０による定着処理後の用紙Ｐの行き先を仕分ける仕分け部材（フラッパ３４）が設けられている。このフラッパ３４は、幅方向（図２の紙面に直交する方向）に延びる支軸回りに正逆回動し、これによって用紙Ｐを胴内排紙空間１９へ向かわせる胴内排紙姿勢と、後述の機外排紙トレイ６３へ向かわせる機外排紙姿勢との間で姿勢変更し得るようになっている。
【００３７】
そして、このように構成された複写機１０の筐体１０′には、前記用紙カセット４２を含めて各所に開閉構造６０（図１）が設けられている。この開閉構造６０としては、用紙カセット４２の他に、本実施形態においては、前記筐体本体１１の前面における用紙カセット４２の直上方位置に設けられた前面開閉扉６１と、筐体本体１１の右側面における用紙カセット４２の直上方位置に設けられた手差しトレー６２と、連絡筐体１３の左側面に設けられた機外排紙トレイ６３が存在する。
【００３８】
前記前面開閉扉６１は、左端部が図略の蝶板部材回りに回動自在に軸支された左開閉扉６１１と、右端部が図略の蝶板部材回りに回動自在に軸支された右開閉扉６１２とからなり、これら左右の開閉扉６１１，６１２がそれぞれの蝶板部材回りに離間方向に向けて回動することにより観音開きで筐体本体１１の前面開口１１０が開放されるようになっている。
【００３９】
前記手差しトレー６２は、用紙Ｐを１枚ずつ手差しで画像形成部２０へ給紙する場合に使用されるものであり、筐体本体１１の右側面における用紙貯留部４０の直上位置に設けられた手差し用開口１１１に開閉可能に装着されている。かかる手差しトレー６２は、下端部が図略の蝶板部材回りに回動可能に軸支され、手差し用開口１１１を開放した状態で右方へ突出した開放姿勢と、手差し用開口１１１を閉止した閉止姿勢との間で姿勢変更可能とされている。
【００４０】
前記機外排紙トレイ６３は、前記フラッパ３４が機外排紙姿勢に姿勢設定された状態で、当該フラッパ３４に案内されて機外に排紙される用紙Ｐを受けるためのものである。かかる機外排紙トレイ６３は、連絡筐体１３の左側面に凹設された収納凹部１１２（図２）に収納可能に寸法設定され、下端縁部が図略の蝶板部材回りに回動自在に軸支されることによって収納凹部１１２に嵌り込んだ閉止姿勢と、収納凹部１１２から外れた開放姿勢との間で姿勢変更し得るようになっている。
【００４１】
前記収納凹部１１２の奥板には、機外排紙背性に姿勢設定されたフラッパ３４を介して搬送される用紙Ｐを機外排紙トレイ６３へ排紙するための排紙口１１３が開口されている。従って、この排紙口１１３は、機外排紙トレイ６３が閉止姿勢に姿勢設定されることによって塞がれる一方、機外排紙トレイ６３が開放姿勢に姿勢設定されることによって開かれることになる。
【００４２】
そして、前記前面開閉扉６１（左開閉扉６１１および右開閉扉６１２）、手差しトレー６２および機外排紙トレイ６３には、それらの筐体１０′に対向した周縁部にシール部材６４（図１に点描で表示）が貼着やねじ止め或いはかしめ止め等によって取り付けられ、これによって前面開閉扉６１、手差しトレー６２および機外排紙トレイ６３が閉止された状態で、これら前面開閉扉６１、手差しトレー６２および機外排紙トレイ６３の周縁部と、対象となる開口（前面開閉扉６１の場合は筐体本体１１の前面開口１１０、手差しトレー６２の場合は手差し用開口１１１、機外排紙トレイ６３の場合は収納凹部１１２）の内周縁部との間に圧縮弾性変形したシール部材６４が介在された状態になる。かかるシール部材６４が介在することにより前面開閉扉６１、手差しトレー６２および機外排紙トレイ６３が閉止されるとこれらの周縁部と各開口の内周縁部との間に形成される隙間が全て塞がれ、これによって筐体本体１１内は、概ね密閉状態になり、実質的に吸気口７１のみから吸気されることになる。
【００４３】
前記シール部材６４としては、容易に圧縮弾性変形することができるゴムや軟質の合成樹脂製の発泡体が使用されるが、それらの内で株式会社ロジャースイノアック社が製造しているウレタンフォームの一種である商品名「ＰＯＲＯＮ」が好適に使用される。この「ＰＯＲＯＮ」は、圧縮残留歪みが小さく、寸法精度が安定しており、しかもシール性に優れているため、筐体１０′内への埃の侵入を防止する目的で使用されるシール部材６４として好適である。
【００４４】
このように構成された複写機１０においては、画像形成処理が実行されることにより、画像形成部２０の周辺が帯電器２４の放電に起因して昇温するとともに、定着部３０の周辺が通電発熱体の発熱による定着ローラ３２の加熱で昇温するため、これらの昇温を抑えるべく冷却構造７０が設けられている。
【００４５】
この冷却構造７０は、図３に示すように、前記筐体１０′の前面板（壁面）１１４（前面開閉扉６１は前面板１１４に含まれる）に設けられた、後述するフィルタ７４５を備えた吸気口７１と、この吸気口７１から前記フィルタ７４５を介して筐体１０′内に冷却用の空気を取り入れるべく排気する排気ファン７２と、取り入れた空気をフィルタ７４５を介して排気する排気口７３とを備えて構成されている。
【００４６】
本実施形態においては、前記吸気口７１として筐体１０′の前面板１１４における左開閉扉６１１の画像形成部２０と対向した位置に設けられた第１吸気口７１１と、同定着部３０と対向した位置に設けられた第２吸気口７１２とが設けられている。これら第１および第２吸気口７１１，７１２にはシャッタ７４（図４）が設けられ、ソレノイド（アクチュエータ）７５の駆動によるシャッタ７４の開閉動作によって吸気口７１が開放されたり閉止されたりするようになっている。かかる第１および第２吸気口７１１，７１２は、前面板１１４に縦方向に延びる複数条の長孔７１３（図４）が横方向に所定ピッチで並設されることによって形成されている。
【００４７】
前記シャッタ７４として第１吸気口７１１用の第１シャッタ７４１と、第２吸気口７１２用の第２シャッタ７４２とが備えられているとともに、前記ソレノイド７５として第１シャッタ７４１用の第１ソレノイド７５１と、第２シャッタ７４２用の第２ソレノイド７５２とが備えられている。
【００４８】
図４は、シャッタ７４の一実施形態を示す斜視図であり、（イ）は、分解斜視図、（ロ）および（ハ）は、組み立て斜視図であって、（ロ）は、吸気口７１がシャッタ７４によって閉じられた状態、（ハ）は、吸気口７１がシャッタ７４の移動で開かれた状態をそれぞれ示している。因みに、本実施形態においては、第１シャッタ７４１と第２シャッタ７４２とは同一構造のものが採用されている。
【００４９】
まず、図４の（イ）に示すように、シャッタ７４は、前記複数条の長孔７１３に対応した複数条の長孔７４３を有する矩形状のルーバー板７４４と、このルーバー板７４４に装着されるフィルタ７４５と、ルーバー板７４４におけるフィルタ７４５が装着される面と反対側の面に積層されるフェルト部材７４６とを備えて構成されている。前記ルーバー板７４４の各縁部には、同一方向に略直角に折り曲げられることによって形成した４つの包持片７４４ａが設けられ、前記フィルタ７４５は、これら４つの包持片７４４ａに包持されることによってルーバー板７４４に装着された状態になる。
【００５０】
前記フェルト部材７４６は、ルーバー板７４４の前面板１１４に対する摺動をスムーズに行なわせるとともに、ルーバー板７４４と前面板１１４との間に形成される隙間をシールするためのものである。かかるフェルト部材７４６にも、フェルト部材７４６の長孔７４３に対応した複数条の長孔７４７が穿設されている。
【００５１】
一方、前面板１１４の裏面側には、吸気口７１である複数条の長孔７１３を囲むように矩形状のガイド枠体７１４が固定されている。このガイド枠体７１４は、上下方向の内寸法がルーバー板７４４の上下寸法より僅かに大きく寸法設定されているとともに、横方向の内寸法がルーバー板７４４の横寸法より長孔７４３のピッチ分だけ長く設定されている。また、ガイド枠体７１４の前面板１１４からの突出量は、包持片７４４ａのルーバー板からの突出量にフェルト部材７４６の厚み寸法を加えた寸法より僅かに大きく設定されている。従って、シャッタ７４をガイド枠体７１４に嵌め込んだ状態で、当該シャッタ７４を水平方向に正逆移動させることが可能になる。
【００５２】
そして、本実施形態においては、ガイド枠体７１４内のシャッタ７４を図４における左方に移動させることにより、図４の（ロ）に示すように、ルーバー板７４４の長孔７４３間の縦桟部分が前面板１１４の長孔７１３と対向し、これによって吸気口７１が閉止される一方、ガイド枠体７１４内のシャッタ７４を図４における右方に移動させることにより、図４の（ハ）に示すように、シャッタ７４の長孔７４３，７４７が前面板１１４の長孔７１３と対向し、これによって吸気口７１がフィルタ７４５を介して開放されるようになっている。
【００５３】
また、前記４枚の包持片７４４ａの内の上部の１枚（上部包持片７４４ａ′）については、蝶板状になっており、基端側の縁部が蝶板軸７４４ｂ回りに回動自在にルーバー板７４４の上縁部に連結されている。従って、フィルタ７４５を交換するに際しては、シャッタ７４をガイド枠体７１４から取り外した上で（因みに、シャッタ７４は、包持片７４４ａにねじ止めされているねじを外すことによって後述の鉄心７５４を分離するとともに、後述のコイルスプリング７６を外すことによってガイド枠体７１４から容易に外すことができる。）、上部包持片７４４ａ′を蝶板軸７４４ｂ回りに上方へ回してルーバー板７４４の上部を開放状態にし、ここからフィルタ７４５を出し入れすればよい。
【００５４】
また、前記シャッタ７４は、その図４における左側の包持片７４４ａにコイルスプリング７６の一端が装着され、このコイルスプリング７６の付勢力によって普段は吸気口７１を閉止する閉止位置に位置設定されるようになっている。かかるコイルスプリング７６を包持片７４４ａに装着するために、ガイド枠体７１４の図４における左側の枠には、コイルスプリング７６を挿通するための挿通孔７１４ａが穿設されている。
【００５５】
前記ソレノイド７５は、第１シャッタ７４１に対応した第１ソレノイド７５１と、第２シャッタ７４２に対応した第２ソレノイド７５２とからなっている。かかるソレノイド７５は、筐体１０′に固定され、かつ、内部に円筒状に巻かれたコイルを有するソレノイド本体７５３と、このソレノイド本体７５３のコイルに貫設された鉄心７５４とを備えて構成されている。このようなソレノイド７５は、鉄心７５４の先端が前記シャッタ７４の図４における右側の包持片７４４ａにねじ止めで固定された状態でソレノイド本体７５３が横置きで筐体１０′の前面板１１４に固定されることによって前面板１１４に装着されている。
【００５６】
前記鉄心７５４は、ソレノイド本体７５３の図略のコイルが励磁されることによってソレノイド本体７５３内に引き込まれるようになっている。従って、コイルが励磁されていない状態における鉄心７５４は、ルーバー板７４４を介したコイルスプリング７６の付勢力によりソレノイド本体７５３からの突出量が大きくなる（図４の（ロ））一方、コイルが励磁されることにより鉄心７５４はコイルスプリング７６の付勢力に抗してソレノイド本体７５３内に引き入れられ、これによってシャッタ７４は、図４における右方へ移動して開放位置に位置設定される。
【００５７】
因みに、ガイド枠体７１４の図４における右側の枠には、鉄心７５４を通すための挿通溝７１４ｂが凹設されている。
【００５８】
前記排気ファン７２は、図２に示すように、筐体本体１１の左側板１１６に設けられた第１排気口７３１に装着される第１排気ファン７２１と、図３に示すように、連絡筐体１３の背面板１１５に設けられた第２排気口７３２に装着される第２排気ファン７２２との２台が採用されている。
【００５９】
前記第１排気ファン７２１は、画像形成部２０周辺の昇温した雰囲気を排気するためのものであり、この第１排気ファン７２１の駆動による画像形成部２０回りの空気の第１排気口７３１からの排気によって第１吸気口７１１から画像形成部２０を介し第１排気口７３１へ向かう気流が形成され、この気流によって画像形成部２０に冷却処理が施されることになる。
【００６０】
前記第２排気ファン７２２は、定着部３０周辺の昇温した雰囲気を排気するためのものであり、この第２排気ファン７２２の駆動による定着部３０周りの空気の第２排気口７３２からの排気によって第２吸気口７１２から定着部３０を介し第１排気口７３１へ向かう気流が形成され、この気流によって定着部３０に冷却処理が施されることになる。
【００６１】
各排気口７３（第１および第２排気口７３１，７３２）には、排気ファン７２（第１および第２排気ファン７２１，７２２）の上流側にそれぞれフィルタ７４５が設けられ、外部から埃が筐体１０′内に入り込むのを防止するようになされている。因みに、本実施形態においては、排気口７３にシャッタは設けられていない。
【００６２】
そして、本発明においては、画像形成部２０および定着部３０の冷却処理を制御するために筐体１０′内の適所にマイクロコンピュータからなる制御部８０が設けられている。以下、図５を基に画像形成部２０および定着部３０の制御部８０による冷却制御について説明する。
【００６３】
図５は、画像形成部２０および定着部３０の冷却制御の一実施形態を示すブロック図である。このブロック図に示すように、制御部８０は、中央演算処理装置としてのＣＰＵ（ｃｅｎｔｒａｌ  ｐｒｏｃｅｓｓｉｎｇ  ｕｎｉｔ）８１と、制御プログラムや判別用の設定数値等が記憶された読取り専用のＲＯＭ（ｒｅａｄ  ｏｎｌｙ  ｍｅｍｏｒｙ）８２と、演算途中で発生する一時的なデータを記憶する読み書き自在のＲＡＭ（ｒａｎｄｏｍ  ａｃｃｅｓｓ  ｍｅｍｏｒｙ）８３とを備えて構成されている。
【００６４】
一方、かかる冷却制御を実行するために、筐体１０′内に温度センサ８４が設けられている。この温度センサ８４として、定着部３０周辺の温度を検出する第１温度センサ８４１と、画像形成部２０（特に帯電器２４周辺）周辺の温度を検出する第２温度センサ８４２とが採用されている。制御部８０はこれら第１および第２温度センサ８４１，８４２の検出結果に基づいて冷却制御を行なうようになっている。
【００６５】
前記ＣＰＵ８１には、温度判別部８１１と、制御信号出力部８１２とが設けられている。温度判別部８１１は、前記第１温度センサ８４１が検出した温度が予め設定された定着部３０周辺の上限温度（第１上限温度）を越えているか否かを判別するとともに、前記第２温度センサ８４２が検出した温度が予め設定された画像形成部２０周辺の上限温度（第２上限温度）を越えているか否かを判別するものである。
【００６６】
本実施形態においては、第１上限温度として６０℃が設定されている。その理由は、第１上限温度が６０℃を越えると、機内の主な熱源である定着部３０の周りが熱くなり過ぎ、この熱さの影響が機内全体に及ぶことになってトナーが凝集し易くなったり、感光体ドラム２２の特性が変化して適正なトナー像が形成されなったりするからである。これに対し、第２上限温度として４５℃が設定されている。その理由は、第２上限温度が４５℃を越えると、感光体ドラム２２の機能に不具合が不都合が生じるからである。
【００６７】
前記制御信号出力部８１２は、前記温度判別部８１１の判別結果（すなわち、第１および第２温度センサ８４１，８４２の検出結果が上限温度を越えているか否か）に基づき第１および第２シャッタ７４１，７４２を開閉させるべく第１および第２ソレノイド７５１，７５２へ制御信号を出力するとともに、第１および第２排気ファン７２１，７２２へ駆動・停止の制御信号を出力するものである。
【００６８】
具体的には、制御信号出力部８１２は、定着部３０周辺の温度が第１上限温度（６０℃）を越えたときに第２ソレノイド７５２に向けて第２シャッタ７４２を開放させる制御信号を出力するとともに、同時に第２排気ファン７２２に向けて駆動信号を出力するようになっている。従って、定着部３０の周辺の温度が第１上限温度を越えると、第２ソレノイド７５２の駆動によって今まで閉じられていた第２シャッタ７４２が開放されると同時に第２排気ファン７２２が駆動を開始し、これによって第２吸気口７１２から筐体１０′内に吸引された空気が定着部３０の周辺を通過しつつ定着部３０に冷却処理を施した後、第２排気ファン７２２から外部へ排気される。
【００６９】
そしてこの場合、画像形成部２０周辺の温度が４５℃以下の場合には、第１シャッタ７４１が開放されることはなく、第１排気ファン７２１が駆動されることはない。このようにされるのは、たとえ定着部３０周辺が６０℃以上になっていても、第２シャッタ７４２が開放されて第２排気ファン７２２が駆動されることにより、機内に全体的な気流が生じて画像形成部２０周辺もその気流で冷却されることが期待されるとともに、画像形成部２０周辺に多くの埃が入り込むのを避けるために、よほどのことがない限り（具体的には画像形成部２０周辺が４５℃を越えない限り）第１シャッタ７４１は閉止されて第１排気ファン７２１が停止された状態とされるからである。
【００７０】
これに対し、定着部３０の温度が第２上限温度以下になったときには、制御信号出力部８１２は、第２ソレノイド７５２への駆動信号の出力を停止する（すなわち停止信号を出力する）とともに、第２排気ファン７２２への駆動信号の出力を停止する（すなわち停止信号を出力する）ようになされているため、今まで開いていた第２シャッタ７４２が閉じると同時に第２排気ファン７２２が停止する。
【００７１】
また、制御信号出力部８１２は、画像形成部２０周辺の温度が第２上限温度（４５℃）を越えたときに第１ソレノイド７５１に向けて第１シャッタ７４１を開放させる制御信号を出力するとともに、同時に第１排気ファン７２１に向けて駆動信号を出力するようになっている。従って、画像形成部２０の周辺の温度が第１上限温度を越えると、第１ソレノイド７５１の駆動によって今まで閉じられていた第１シャッタ７４１が開放されると同時に第１排気ファン７２１が駆動を開始し、これによって第１吸気口７１１から筐体１０′内に吸引された空気が画像形成部２０の周辺を通過しつつ画像形成部２０に冷却処理を施した後、第１排気ファン７２１から外部へ排気される。
【００７２】
このようにされるのは、画像形成部２０周辺への埃の侵入は極力避ける必要があり、第１シャッタ７４１を開放し第１排気ファン７２１を駆動して大量の外気を画像形成部２０へ導入することは好ましいことではないが、画像形成部２０周辺の温度が４５℃を越えてしまうと、埃の侵入よりも画像形成部２０周辺の温度を下げることの方が優先されるからである。
【００７３】
これに対し、画像形成部２０の温度が第２上限温度以下になったときには、制御信号出力部８１２は、第１ソレノイド７５１への駆動信号の出力を停止する（すなわち停止信号を出力する）とともに、第１排気ファン７２１への駆動信号の出力を停止する（すなわち停止信号を出力する）ようになされているため、今まで開いていた第１シャッタ７４１が閉じると同時に第１排気ファン７２１が停止する。
【００７４】
以上をフロー的に記述すると以下のようになる。
（ｉ）電源を入れて画像形成処理（コピー）開始
（ｉｉ）定着部３０周辺が第１上限温度（６０℃）を越えた時点で定着部３０の冷却開始
（ｉｉｉ）画像形成部２０周辺が第２上限温度（４５℃）を越えた時点で画像形成部２０の冷却開始（この場合、定着部３０周辺の温度が６０℃を越えているのが普通であるため定着部３０も冷却継続）
（ｉｖ）コピー停止
（ｖ）画像形成部２０周辺が４５℃以下になると画像形成部２０の冷却停止
（ｖｉ）定着部３０周辺が６０℃以下になるとともに、画像形成部２０周辺が４５℃以下になると定着部３０および画像形成部２０の双方について冷却停止
（但し、上記の（ｉｉ）において、定着部３０が６０℃に到達していないにも拘らず、画像形成部２０周辺が４５℃を越えた場合は、画像形成部２０および定着部３０の双方について冷却処理実行）。
【００７５】
以上詳述したように、本発明に係る複写機（画像形成装置）１０は、筐体１０′に存在する隙間の全て（本実施形態においては、前面開閉扉６１の隙間、手差しトレー６２の隙間および機外排紙トレイ６３の隙間）がシール部材６４によってシールされているとともに、外気を筐体１０′内に取り入れるための吸気口７１および排気口７３にはフィルタ７４５が設けられてなるものであるため、複写機１０を埃の多い環境に据え付けても、フィルタ７４５により埃が除去された状態の冷却用空気の吸気口７１を介した吸引を確保しつつ埃が隙間から筐体１０′内に侵入するのを確実に防止することができ、これによって埃が帯電器に付着することによって生じる形成画像の異常、埃が現像装置内に入り込むことによって生じる形成画像の異常、埃が内装されているプリント基板に付着することによる電気的な短絡、埃が内装されているコネクタに侵入して生じる電気的な接続不良、あるいは埃が用紙Ｐを搬送する搬送ローラに付着して生じる搬送不良等の不具合の発生などを確実に防止することができる。
【００７６】
また、吸気口７１には、ソレノイド７５の駆動で開閉するシャッタ７４が設けられ、筐体１０′に内装された制御部８０は、画像形成部２０および定着部３０の状態に応じてシャッタ７４の開閉および排気ファン７２の駆動・停止を制御するように構成されているため、かかる制御部８０による制御によって画像形成部２０および定着部３０のいずれか一方または双方が駆動していてそれらの周辺の温度が上昇したときのみシャッタ７４を開放して排気ファン７２を駆動させるような、空気の筐体１０′内への導入を必要最小限に抑えることができ、気流に同伴して侵入する埃による筐体１０′内の汚染を確実に減少させることができる。
【００７７】
そして、本実施形態においては、吸気口７１は、画像形成部２０と対向し第１ソレノイド７５１の駆動で第１シャッタ７４１が開閉される第１吸気口７１１と、定着部３０と対向し第２ソレノイド７５２の駆動で第２シャッタ７４２が開閉される第２吸気口７１２とが備えられるとともに、定着部３０の周辺の温度を検出する温度センサ８４として専用の第１温度センサ８４１が設けられるとともに、画像形成部２０の温度を検出する温度センサ８４として専用の第２温度センサ８４２とが設けられているため、制御部８０は、画像形成部２０および定着部３０の状況に応じて専用の吸気口７１（第１および第２吸気口７１１，７１２のいずれか一方または双方）から冷却用の空気を取り入れることができ、これによって吸気口７１が１個所である場合に比較し、より精度の高い冷却処理の制御を行なうことができる。
【００７８】
本発明は上記の実施形態に限定されるものではなく、以下の内容をも包含するものである。
【００７９】
（１）上記の実施形態においては、吸気口７１として画像形成部２０を対象とした第１吸気口７１１と、定着部３０を対象とした第２吸気口７１２との２つが設けられているが、本発明は、吸気口７１を２個所に設けることに限定されるものではなく、１個所にのみ設け、この１個所に設けた吸気口７１を画像形成部２０および定着部３０の共用にしてもよい。
【００８０】
このように吸気口７１を共用にしても、排気ファン７２として画像形成部２０および定着部３０を対象とした第１および第２排気ファン７２１，７２２が存在する限り、１個所の吸気口７１から画像形成部２０および定着部３０のそれぞれへ向かう気流が形成されるため、画像形成部２０および定着部３０に対する冷却処理に支障の生じることはない。
【００８１】
（２）上記の実施形態においては、排気口７３として画像形成部２０を対象とした第１排気口７３１と、定着部３０を対象とした第２排気口７３２との２つが設けられているが、本発明は、排気口７３を２個所に設けることに限定されるものではなく、１個所にのみ設け、画像形成部２０および定着部３０を冷却した後の空気を１個所に設けた排気口７３から排気するようにしてもよい。
【００８２】
この場合、第１および第２排気ファン７２１，７２２を筐体１０′の内壁面から離間した位置に設けるとともに、第１および第２排気ファン７２１，７２２からの排気を所定のダクトを介して１個所に設けられた排気口７３に導くようにすることが好ましい。かかるダクトを採用することによって、排気口７３設置の位置的制約がなくなり、設計上の自由度が向上する。
【００８３】
（３）上記の実施形態において排気口７３（第１および第２排気口７３１，７３２）にも開閉可能なシャッタを設け、排気ファン７２が停止しているときはこのシャッタを閉止する一方、排気ファン７２が駆動しているときにシャッタを開放するように制御してもよい。こうすることによって埃の多い環境下に据え付けられた複写機１０を長期間に亘って放置しても、埃が排気口７３から複写機１０内に侵入することを確実に防止することができる。
【００８４】
（４）  上記の実施形態において、筐体１０′内における吸気口７１の近傍に、吸引された空気中の埃の多寡（量）を検出する埃センサを設け、制御部８０は、埃センサが予め設定された上限埃量を越える埃を検出したとき、用紙貯留部に向けて用紙の搬送ピッチを遅くする制御信号を出力するように構成してもよい。
【００８５】
こうすることによって、筐体１０′内における埃の浮遊量が予め設定された上限埃量を越えた場合、そのことが吸気口７１近傍に設けられた埃センサによって検出され、この検出結果に基づいて制御部８０が用紙貯留部に対し用紙Ｐの搬送ピッチを遅くする制御信号を出力し、これによって単位時間当たりの用紙Ｐへの転写枚数が少なくなるため、冷却処理に要する空気量を抑えることが可能になり、結果として発熱機器を確実に冷却しなくても済むような吸引空気量にして埃の筐体内への侵入を少なくすることで転写不良にならないようにすることができる。
【００８６】
（５）上記の実施形態においては、定着部３０での定着処理が施された後の用紙Ｐは、フラッパ３４が機外排紙姿勢に姿勢設定された状態で、転写面を上向きにして機外排紙トレイ６３へ排紙されるが、これを避けるためにフラッパ３４を通過後の用紙Ｐに対してスイッチバック搬送路で表裏反転させる操作を行なった後に当該用紙Ｐを機外排紙トレイ６３へ排紙させるようにしてもよい。
【００８７】
（６）上記の実施形態においては、シャッタ７４を開閉動作させるアクチュエータとしてソレノイド７５が採用されているが、本発明は、アクチュエータがソレノイド７５であることに限定されるものではなく、電動モータや油圧或いは空気圧で作動するシリンダ装置等のその他のアクチュエータを採用してもよい。
【図面の簡単な説明】
【００８８】
【図１】本発明に係る複写機の一実施形態を示す斜視図である。
【図２】図１に示す複写機の内部構造を説明するための正面断面視の説明図である。
【図３】冷却構造を説明するための複写機の右側面断面視の説明図である。
【図４】シャッタの一実施形態を示す斜視図であり、（イ）は、分解斜視図、（ロ）および（ハ）は、組み立て斜視図であって、（ロ）は、吸気口がシャッタによって閉じられた状態、（ハ）は、吸気口がシャッタの移動で開かれた状態をそれぞれ示している。
【図５】画像形成部および定着部の冷却制御の一実施形態を示すブロック図である。
【符号の説明】
【００８９】
１０  複写機（画像形成装置）  １０′  筐体
１１  筐体本体                １１１  手差し用開口
１１２  収納凹部              １１３  排紙口
１１４  前面板（壁面）        １１５  背面板（壁面）
１１６  左側板（壁面）        １２  スキャナ部筐体
１３  連絡筐体                ２０  画像形成部
２１  画像形成部搬送路        ２２  感光体ドラム
２３  クリーニング装置        ２４  帯電器
２５  現像装置                ２６  露光装置
３０  定着部                  ３１  定着部搬送路
３２  定着ローラ              ３３  加圧ローラ
３４  フラッパ                ４０  用紙貯留部
４１  用紙貯留部搬送路        ４２  用紙カセット（用紙貯留部）
４３  リフト板                ４４  給送ローラ
４５  送出しローラ対          ５０  スキャナ部
５１  光学系                  ５２  コンタクトガラス
５３  第１ミラー台            ５４  第２ミラー台
５５  レンズユニット          ５６  ＣＣＤ
６０  開閉構造                ６１  前面開閉扉
６１１  左開閉扉              ６１２  右開閉扉
６２  手差しトレー            ６３  機外排紙トレイ
６４  シール部材              ７０  冷却構造
７１  吸気口                  ７１１  第１吸気口
７１２  第２吸気口            ７１３  長孔
７１４  ガイド枠体            ７１４ａ  挿通孔
７１４ｂ  挿通溝              ７２  排気ファン
７２１  第１排気ファン        ７２２  第２排気ファン
７３  排気口                  ７３１  第１排気口
７３２  第２排気口            ７４  シャッタ
７４１  第１シャッタ          ７４２  第２シャッタ
７４３  長孔                  ７４４  ルーバー板
７４４ａ  包持片              ７４４ａ′  上部包持片
７４４ｂ  蝶板軸              ７４５  フィルタ
７４６  フェルト部材          ７４７  長孔
７５  ソレノイド（アクチュエータ）
７５１  第１ソレノイド        ７５２  第２ソレノイド
７５３  ソレノイド本体        ７５４  鉄心
７６  コイルスプリング        ８０  制御部
８１  ＣＰＵ                  ８１１  温度判別部
８１２  制御信号出力部        ８２  ＲＯＭ
８３  ＲＡＭ                  ８４  温度センサ
８４１  第１温度センサ        ８４２  第２温度センサ
Ｐ  用紙
【図１】
2006184537.tif 000003
【図２】
2006184537.tif 000004
【図３】
2006184537.tif 000005
【図４】
2006184537.tif 000006
【図５】
2006184537.tif 000007